(57)【要約】  固体照明ランプ１０であって、固体照明ランプは、ランプの中心軸１５と整列してそれぞれ延びる複数のヒートシンクモジュール４０であって、各ヒートシンクモジュールが、複数の固体照明要素５０を支持している、ヒートシンクモジュールと、中心軸と整列して延び、ランプの内容積部を区切る本体２０と、を備え、ヒートシンクモジュールが、本体に固定される、固体照明ランプが開示される。本体は、光学ハウジング、すなわちランプの光出射窓である。
2020528196.tif 000002
【特許請求の範囲】
【請求項１】
固体照明ランプであって、前記固体照明ランプが、
前記ランプの中心軸と整列してそれぞれ延びる複数のヒートシンクモジュールであって、各ヒートシンクモジュールが、外側に向いた面と、前記外側に向いた面とは反対側の内面とを有し、前記外側に向いた面上に複数の固体照明要素を支持している、複数のヒートシンクモジュールと、
前記中心軸と整列して延び、前記ランプの内容積部を区切る本体であって、前記本体が、円筒形であり、前記固体照明ランプの光出射窓を画定しており、各ヒートシンクモジュールが、前記本体の内面に取り付けられている、本体と、
電気コネクタを含むベースと、
前記ベースとは反対側のキャップと、
を備え、
前記本体及び前記ヒートシンクモジュールは、前記ベースと前記キャップとの間に延びており、前記キャップ及び前記ベースのそれぞれは、前記固体照明ランプを通じて前記中心軸と実質的に平行な空気流を生成するように複数の通気口を備える、固体照明ランプ。
【請求項２】
各ヒートシンクモジュールは、少なくとも１つの溝形結合具によって前記本体に取り付けられている、請求項１に記載の固体照明ランプ。
【請求項３】
前記空気流は、前記ヒートシンクモジュールの前記外側に向いた面上の前記固体照明要素の上、及び前記ヒートシンクモジュールの前記内面の上を流れる、請求項１又は２に記載の固体照明ランプ。
【請求項４】
各ヒートシンクモジュールは、折り曲げられたシート金属で作製されている、請求項１乃至３のいずれか一項に記載の固体照明ランプ。
【請求項５】
前記本体内の更なる本体と、前記更なる本体内に収容された前記固体照明要素用のドライバと、を更に備える、請求項１乃至４のいずれか一項に記載の固体照明ランプ。
【請求項６】
前記複数の固体照明要素はそれぞれ、前記中心軸と整列された、固体照明要素の少なくとも１つの直線列として配置されている、請求項１乃至５のいずれか一項に記載の固体照明ランプ。
【請求項７】
前記ランプは、ＨＰＳ又はＣＦＬ代替ランプである、請求項１乃至６のいずれか一項に記載の固体照明ランプ。
【発明の詳細な説明】
【技術分野】
【０００１】
本発明は、ランプの中心軸と整列してそれぞれ延びる複数のヒートシンクモジュールを備え、各光学モジュールが、複数の固体照明要素を支持する、固体照明ランプに関する。
【背景技術】
【０００２】
現代社会は、ＬＥＤアプリケーションなど、固体照明（solid state lighting；ＳＳＬ）アプリケーションへの移行を目の当たりにしている。このようなアプリケーションは、例えば、不測の衝撃に対する向上した堅牢性による、長寿命性、及び白熱光源やハロゲン光源などの従来の光源と比較して優れたエネルギー消費特性を有する。このようなアプリケーション領域の１つは、従来、ＨＰＳランプ及び高輝度放電（high-intensity discharge；ＨＩＳ）ランプが、屋外エリア、例えば、街路、広場、自動車道などの屋外公共エリアを照明するために使用されてきた、屋外照明である。ＳＳＬ等価品によって一般的に代替される別の種類のランプは、コンパクト形蛍光灯（compact fluorescent lamp；ＣＦＬ）である。ＨＰＳランプ、ＨＩＳランプ、又はＣＦＬを代替するためのこのようなＳＳＬランプは、中心軸上に位置決めされた細長い本体を有するのが一般的であり、本体は、多くの場合、本質的に円筒形又は多角柱形である。
【発明の概要】
【発明が解決しようとする課題】
【０００３】
このようなＳＳＬランプの例が、中国実用新案第２０２００８０１１号明細書に開示されており、当該文献は、溝形様式で相互接続されて閉じた本体を形成する複数のＨ字形ヒートシンクモジュールを備え、各ヒートシンクモジュールが、外面上にＬＥＤ要素のストリップを支持する、ＬＥＤランプを開示している。このようなランプは、簡単な方法で組み立てることができるという利点を有する。しかし、閉じた本体の必要な構造的一体性を得るために、各ヒートシンクモジュールは比較的厚く、このことは、ランプの重量を増加させ、コストを高める。このことは、ＳＳＬランプの市場における競争が、周知のごとく激しく、利益率を低下させるため、問題である。その上、このようなランプによって生成されるべき発光出力を増加させることへの要求により、熱的要件がますます困難となり、このことは、より大きな（より重い）ヒートシンクに起因して、ランプの重量が、健康及び安全性に配慮した最大許容重量未満に保たれることを困難にするほどにまで、増加することにつながる。したがって、このようなＳＳＬランプの重量を低減することが引き続き必要とされている。
【０００４】
本発明は、代替的な構成の、例えば、より費用効率の高い構成の堅牢なＳＳＬランプを提供することを目的とする。
【課題を解決するための手段】
【０００５】
一態様によれば、固体照明ランプであって、固体照明ランプが、ランプの中心軸と整列してそれぞれ延びる複数のヒートシンクモジュールであって、各ヒートシンクモジュールが、外側に向いた面と、外側に向いた面とは反対側の内面とを有し、外側に向いた面上に複数の固体照明要素を支持している、複数のヒートシンクモジュールと、中心軸と整列して延び、ランプの内容積部を区切る本体と、を備え、ヒートシンクモジュールが、本体に固定されている、固体照明ランプが提供される。
【０００６】
本発明は、ヒートシンクモジュールを別個の本体に固定することにより、別個の本体によってランプの構造的一体性が大きくもたらされ、ヒートシンクモジュールがより軽量化され、例えばより薄型化されるようになり、それによって、別個の本体がヒートシンクモジュールの放熱能力に大きく貢献する必要がないという事実により、別個の本体がポリマー材料などの軽量材料で作製され得るため、固体照明ランプの総重量が低減される、という洞察に基づく。
【０００７】
各ヒートシンクモジュールは、少なくとも１つの溝形結合具によって本体に固定されることが好ましい。このことは、構造的一体性を維持しつつ、固体照明ランプの容易な組み立てを促進し、したがって、この種の結合具を組み立ての効率及びコストの点で有利にする。
【０００８】
特定の一実施形態では、本体は、固体照明ランプの光出射窓（光学ハウジングとも呼ばれる）を画定し、各ヒートシンクモジュールは、本体の内面に取り付けられる。このことは、例えば、ヒートシンクモジュールが互いに固定される必要がない、という利点を有し、この利点は、ランプの重量を低減するために使用されてもよく、固体照明ランプの光学性能のより高い自由度を可能にする。このことは、例えば、固体照明ランプの中心軸に沿って通る空気流が促進され得る場合に、放熱特性の向上を達成することも支援する。これは、隣接するヒートシンクモジュールの間の隙間が、ヒートシンクモジュールと空気流との間のより効果的な熱伝達を可能にするためである。空気流は、ヒートシンクモジュールの内面上の固体照明要素の上及びヒートシンクモジュールの内面の上を流れることが好ましい。
【０００９】
このような本体、すなわち、光出射窓又は光学ハウジングは、とりわけ審美的に満足のいく固体照明ランプを実現するために円筒形であってもよい。
【００１０】
各ヒートシンクモジュールは、折り曲げられたシート金属で作製されることが好ましい。このようなヒートシンクモジュールは、シート金属の相対的な薄さにより、費用効率が高く、かつ軽量に作製することができ、それにより、固体照明ランプの総重量を低減することを支援する。
【００１１】
固体照明ランプは、本体内の更なる本体と、更なる本体内に収容された固体照明要素用のドライバと、を更に備えてもよい。このような更なる本体は、ポリマー材料などの軽量材料で作製されてもよく、ドライバを固体照明ランプ内に固定するために使用されてもよい。
【００１２】
特定の別の実施形態では、更なる本体は、複数のヒートシンクモジュールの内側に配置され、内容積部は、固体照明要素のドライバを収容する。この実施形態では、ヒートシンクモジュールの内側に向いた面は、このような更なる本体に取り付けられてもよく、本体は再び、ヒートシンクモジュールが、固体照明ランプの総重量を低減するために比較的薄い材料で作製され得るように、ヒートシンクモジュールを支持する。
【００１３】
ドライバは、更なる本体との少なくとも１つの溝形結合具によって、更なる本体内に固定されてもよい。したがって、ドライバは、容易かつ簡単な方法で更なる本体内に固定され、それによって、固体照明ランプの製造の複雑性及び総コストを低減させることができる。
【００１４】
一実施形態では、各ヒートシンクモジュールの外側に向いた部分が、固体照明要素が取り付けられる凹部を備え、凹部は、光学要素によって覆われる。このことは、各ヒートシンクモジュールについて、固体照明要素が別個の光学要素によって覆われているため、固体照明ランプの別個の光出射窓又は光学ハウジングが、省略され、それによって固体照明ランプの総重量が低減され得る、という利点を有する。
【００１５】
各凹部は、固体照明要素が取り付けられる取り付け面を備えてもよく、各ヒートシンクモジュールは、本体に面する外面と、取り付け面と外面との間に延びる支持リブとを更に備えて、ヒートシンクモジュールを更に強化し、表面積を増加させて加熱モジュールの放熱特性を向上させてもよい。
【００１６】
各ヒートシンクモジュールは、押出成形されたアルミニウム製のヒートシンクモジュールであることが好ましい。これは、押出成形が、固体照明ランプの総重量を低減するのに有益な、とりわけ薄い加熱モジュールを製造するために使用できるためである。
【００１７】
固体照明要素は、それぞれのヒートシンクモジュールに任意の好適な方法で配置されてもよい。例示的な一実施形態では、複数の固体照明要素はそれぞれ、固体照明ランプの中心軸に沿って実質的に均一な発光分布を実現するために、中心軸と整列された固体照明要素の少なくとも１つの直線列として配置される。
【００１８】
固体照明ランプは、電気コネクタを含むベースと、ベースとは反対側のキャップと、を更に備えてもよく、本体及びヒートシンクモジュールは、ベースとキャップとの間に延びる。キャップは、固体照明要素の温度がより良好に制御され得るように、ヒートシンクモジュールと固体照明ランプ内の空気との間の熱伝達を支援するために、空気が固体照明ランプを通って流れることができるように、複数の通気口を備えることが好ましい。
【００１９】
固体照明ランプは、ＨＰＳ又はＣＦＬの代替ランプであってもよいが、本発明の実施形態は、そのような代替ランプに限定されないことを理解されたい。固体照明ランプは、任意の好適な種類の白熱ランプ若しくは蛍光ランプ、又は任意の他の種類のランプを代替するために使用されてもよい。
【図面の簡単な説明】
【００２０】
添付図面を参照して、本発明の実施形態が、より詳細に非限定的な例として説明される。
【図１】本発明の一実施形態による固体照明ランプを概略的に示す。
【図２】図１の固体照明ランプを概略的に示し、図では、明確にするためにランプの一部分が切り取られている。
【図３】図１の固体照明ランプの断面を、中心軸に垂直な平面で概略的に示す。
【図４】図１の固体照明ランプの別の断面を、中心軸に沿う平面で概略的に示す。
【図５】別の実施形態による固体照明ランプの一部の斜視図を概略的に示す。
【図６】図５の断面の一部の上面図を概略的に示す。
【図７】図５の実施形態による固体照明ランプのヒートシンクモジュールを概略的に示す。
【図８】本発明の一実施形態による固体照明ランプの上部の斜視図を概略的に示す。
【図９】本発明の一実施形態による固体照明ランプの下部の斜視図を概略的に示す。
【発明を実施するための形態】
【００２１】
これらの図は、概略的なものに過ぎず、正しい縮尺ではないことを理解されたい。また、同じ参照番号は、これらの図の全体を通して、同じ部分又は同様の部分を示すことも理解されたい。
【００２２】
図１及び図２は、本発明の一実施形態による固体照明ランプ１０の斜視図を概略的に示し、図３は、固体照明ランプ１０の断面斜視図を概略的に示す。固体照明ランプ１０は、ベース６０とキャップ７０との間に延びる光学ハウジング２０を備える。図２は、固体照明ランプ１０の内部を示すために、光学ハウジング２０の細長い部分が切り取られている点を除いて、図１と同じ固体照明ランプ１０の図を示す。固体照明ランプ１０の中心軸１５が、ベース６０とキャップ７０との間に延びる。ベース６０は典型的に、固体照明ランプを主電源に接続するための電気コネクタ（取付具）を備える。図１及び図２では、ねじ型の（エジソン）取付具が、非限定的な例としてのみ示されているが、例えば、バヨネット取付具、ピンベース（例えば、ＧＵ又はＰＡＲ型）の取付具など、任意の好適な種類の電気コネクタ６５が、ベース６０に使用されてもよい。光学ハウジング２０は、任意の好適な方法でベース６０及びキャップ７０に固定されてもよい。例えば、図１及び図２に概略的に示されるように、ベース６０は、例えば、接着剤、又はねじなどの固定部材を用いて、光学ハウジング２０が固定されるリップ６１を備えてもよい。同様に、キャップ７０は、光学ハウジング２０に接着されるか、又は、例えばねじを用いて、取り付けられてもよい。
【００２３】
以下で更に詳細に説明されるように、光学ハウジング２０は、固体照明ランプ１０の光出射窓として作用する。光学ハウジング２０は、任意の好適な光透過性材料、例えば、ガラス、又は、好ましくは、ポリカーボネート、ポリエチレンテレフタレート、ポリ（メチルメタクリレート）などの光学等級ポリマー、若しくは任意の他の好適な光学等級ポリマーで作製されてもよい。光出射窓は、透明であってもよく、又は、固体照明ランプ１０の内部を明確に見ることができないように半透明であってもよい。
【００２４】
図３に最も明確に見ることができるように、固体照明ランプ１０は、固体照明ランプ１０の中心軸１５に沿って延びる複数の細長いヒートシンクモジュール４０を備える。各細長いヒートシンクモジュール４０は、複数の固体照明（ＳＳＬ）要素５０を支持する、光出射窓に向いた面４４（又は外側に向いた面４４）を有し、複数の固体照明要素は、中心軸１５と平行に延びる１つ以上の直線列で配置されてもよい。ＳＳＬ要素５０は、例えば、ＬＥＤのグループ内で同調的に制御され得るか又は個別に制御され得る、有色光生成ＬＥＤの白色ライトなど、任意の好適な種類のＳＳＬ要素であってもよい。最も一般的な実施形態では、ＳＳＬ要素５０は、同調的に制御される。
【００２５】
ＳＳＬ要素５０は、細長いヒートシンクモジュール４０の光出射窓に向いた面４４に直接取り付けられてもよく、又はＰＣＢなどのキャリア５５に取り付けられてもよく、キャリアは、例えば、接着剤、溝形機構などの固定機構、ねじなどの固定部材など、任意の好適な方法でモジュール４０に取り付けられる。一実施形態でのＳＳＬ要素５０は、キャップ７０とベース６０との間で細長いヒートシンクモジュール４０の全長にわたっては延びない。むしろ、ＳＳＬ要素５０は、固体照明ランプ１０がＨＰＳ又はＨＩＬランプの代替品である場合、そのようなＨＰＳ又はＨＩＳランプの発光分布（例えば、火口領域）を模倣するために、固体照明ランプ１０の中央領域に集められ、すなわち、光学ハウジング２０の中央領域に面する。
【００２６】
各細長いヒートシンクモジュール４０は、光出射窓が細長いヒートシンクモジュール４０を構造的に支持するように、光学ハウジング２０、すなわち光出射窓２０に固定される。このことは、各細長いヒートシンクモジュール４０が、固体照明ランプ１０の総重量を低減する限定された厚さを有する、熱伝導性材料、例えば、金属又は合金で作製できるという利点を有する。好ましい実施形態では、細長いヒートシンクモジュール４０は、細長いヒートシンクモジュール４０にとって望ましい形状に折り曲げられたシート金属で作製される。細長いヒートシンクモジュール４０は、任意の好適な方法で光出射窓２０に固定されてもよいが、溝形スタイルの固定構成を用いて光出射窓２０に固定されることが好ましい。例えば、各細長いヒートシンクモジュール４０は、光出射窓又は光学ハウジング２０の内面の溝部２１と整列するための、外側に向き反対側を向いた一対の舌部４１を有してもよい。溝部２１は、任意の好適な方法で、例えば、内面に複数の突出部分２２を備える光出射窓又は光学ハウジング２０によって、形成されてもよく、突出部分は、溝部２１を画定する。図３では、突出部分２２は、一般にＴ字形を有して、Ｔ字形の垂直バーの両側に一対の溝部２１を画定するが、代替的な機構も勿論、等しく実現可能であることを理解されたい。そのような代替的な機構の一例は、一対の対向するＬ字形の突出部２２であり、突出部の間で、Ｌ字形の突出部によって形成された対向する溝部に、単一の細長いヒートシンクモジュール４０が固定される。このような突出部２２を備える光学ハウジング又は光出射窓２０は、例えば、押出成形、射出成形などの、任意の好適な方法で作製されてもよい。
【００２７】
固体照明ランプ１０の熱管理を更に支援するために、キャップ７０は、固体照明ランプ１０の内部を通気するための複数の通気口７５を備えてもよい。特に、固体照明ランプ１０内の空気は典型的に、ＳＳＬ要素５０によって発生した熱が、細長いヒートシンクモジュール４０によって空気に伝達されるので、ＳＳＬ要素５０の作動中に細長いヒートシンクモジュール４０によって加熱される。キャップ７０に通気口７５を設けることにより、このような加熱された空気は、例えば対流によって、固体照明ランプ１０から逃げることができ、それによって、より冷たい空気が、固体照明ランプ１０に入ることができ、ランプの過熱が防止される。あるいは、固体照明ランプ１０内のこのような空気循環は、強制的な空気循環であってもよく、この場合、固体照明ランプ１０は、光学ハウジング２０内にファン（図示せず）を更に含んでもよい。
【００２８】
一実施形態では、ベース６０も、固体照明ランプ１０を通じて中心軸１５と実質的に平行な空気流を発生させるために通気口（図示せず）を含んでもよい。このような空気流は、任意の好適な経路に沿って固体照明ランプ１０を通過してもよい。例えば、空気流は、固体照明ランプ１０の冷却を支援するために、ＳＳＬ要素５０の上、及び／又はヒートシンクモジュール４０の内面４６の上を通過してもよい。固体照明ランプ１０は、固体照明ランプ１０を通るこのような空気流を可能にする任意の好適な位置に、任意の好適な形状を有する任意の数の通気口を含んでもよいことを理解されたい。
【００２９】
固体照明ランプ１０の熱管理を更に支援するために、細長いヒートシンクモジュール４０は、隣り合う細長いヒートシンクモジュール４０の間を空気が流れることができるように、互いに空間的に隔てられてもよい。このことは、細長いヒートシンクモジュール４２が、それらの構造的支持のために相互接続される必要がなく、代わりに、光出射窓又は光学ハウジング２０に取り付けられ、細長いヒートシンクモジュール４０の空間的な隔離を容易にするため可能である。
【００３０】
固体照明ランプ１０は、光出射窓又は光学ハウジング２０内に更なる本体３０'を更に備えてもよく、更なる本体３０'は典型的に、固体照明ランプ１０の内側、すなわち、細長いヒートシンクモジュール４０の内側の中央領域内に配置される。更なる本体３０'は典型的に、ＳＳＬ要素５０用のドライバ８０を収容する。ドライバ８０は、任意の好適な方法で更なる本体３０'内に固定されてもよい。非限定的な例として図３に概略的に示されるように、ドライバ８０は、平面状キャリア８１に取り付けられてもよく、更なる本体３０'は、一対の対向する溝部３５を備え、溝部には、平面状キャリア８１が差し込まれ、これは、ドライバ８０のキャリア８１と更なる本体３０'の溝部３５との間の溝形スタイルの結合と見なすことができる。更なる本体３０'は、前述の理由から固体照明ランプ１０の総重量を制限するために、軽量材料、例えばポリマー材料などで作製されることが好ましい。
【００３１】
図４は、図１の固体照明ランプ１０の別の断面図を概略的に示し、図には、固体照明ランプ１０が、ＳＳＬ要素５０のドライバ８０を収容する更なる本体３０'を含み、ヒートシンクモジュール４０が、更なる本体３０'と光学ハウジング２０との間に配置されることが更に示されている。
【００３２】
固体照明ランプ１０の代替的な実施形態が、図５〜図９を用いてより詳細に説明される。図５は、本実施形態による固体照明ランプ１０の詳細を斜視図で概略的に示し、図６は、この詳細を上方からの平面図で概略的に示す。
【００３３】
第１の実施形態の固体照明ランプ１０と比較して、本実施形態の固体照明ランプ１０は、光学ハウジング２０を備えていない。代わりに、それぞれの細長いヒートシンクモジュール４０は、ＳＳＬ要素５０のドライバ８０が収容される内側本体３０に結合される。本体３０、すなわちドライバハウジングは、任意の好適な材料で作製されてもよい。本体３０は、固体照明ランプ１０の総重量を制限するために、軽量材料、例えばポリマー材料などで作製されることが好ましい。
【００３４】
各細長いヒートシンクモジュール４０は、本体３０の対応する細長い円形チャネル又は溝部３２にそれぞれ差し込まれる、少なくとも一対の細長い円形の柱状部又は舌部４２を備えることが好ましい。当業者に理解されるように、また、例えば図５及び図６から明らかなように、チャネル又は溝部３２は、開口であって、開口を通じて、円形の柱状部又は舌部４２が取り付けられた細長い加熱モジュール４０の一部分が、溝部又はチャネルを通って摺動できる開口を備える開放構造体であり、このことは、例えば、図５に明確に見ることができ、同図では、明確性のために、細長いヒートシンクモジュール４０のうちの１つが、本体３０、すなわちドライバ８０のハウジングのチャネル又は溝部３２に部分的にのみ差し込まれている。本実施形態では、細長いヒートシンクモジュール４０は、押出成形によって作製されることが好ましく、このことは、ヒートシンクモジュールが、より薄く作製され、それにより、固体照明ランプ１０の総重量を制限できるという、ダイキャスティング又は鍛造などの技術に勝る利点を有する。例えば、細長いヒートシンクモジュール４０は、アルミニウムが押出成形プロセスにおける金属としてとりわけ好適であるため、押出成形されたアルミニウム製のヒートシンクモジュールであってもよい。前述のように、ドライバ８０は、任意の好適な方法で、例えば、前述のような溝形様式で、対向する溝部３５に差し込まれるドライバ８０のキャリア８１によって、本体３０内に取り付けられてもよい。このことは、図６に最も明確に示されている。
【００３５】
図７は、このような細長いヒートシンクモジュール４０の断面図をより詳細に示す。各細長いヒートシンクモジュール４０は、ＳＳＬ要素５０が直接取り付けられる外側に向いた面４４、又は前述のキャリア５５を備える。外側に向いた面４４は典型的に、細長いヒートシンクモジュール４０が、ＳＳＬ要素５０が収容される凹部４３を備えるように成形される。各凹部４３は、光学要素５１によって覆われ、光学要素５１は典型的に、光学的に透過性の材料、例えば、ポリカーボネート、ポリエチレンテレフタレート、若しくはポリ（メチルメタクリレート）などの光学等級ポリマー、又は任意の他の好適な光学等級ポリマーで作製される。
【００３６】
光学要素５１は、ＳＳＬ要素５０用のカバープレートとして機能してもよいが、いくつかの実施形態では、レンズ機能、拡散体又は散乱機能などの追加の光学機能を有してもよい。光学要素５１は、細長いヒートシンクモジュール４０に任意の好適な方法で固定されてもよい。図７に概略的に示される例示的な実施形態では、光学要素５１の反対側を向いた両側の端部５２は、Ｕ字形の輪郭を画定してもよく、細長いヒートシンクモジュール４０の外側に向いた面４４は、一対の対向する細長い舌部４９を備え、舌部は、溝形の様式で、細長い舌部４９の上でＵ字形の両側の端部５２を摺動させることによって、光学モジュール５１が、細長いヒートシンクモジュール４０に差し込まれ得るように構成される。
【００３７】
各細長い加熱モジュール４０は、外側に向いた面４４に支持リブ４７を介して結合された内側に向いた面４６を更に備えてもよい。内側に向いた面４６は一般に、前述のように本体３０に嵌合するために、細長い柱状部又は舌部４２において終端するＵ字形を有してもよい。このことは、多くの目的を果たし得る。まず、別個の内側に向いた面４６は、支持リブ４７の適切な寸法決めによって、外側に向いた面４４から任意の距離で離隔され得る。加えて、支持リブ４７は、細長いヒートシンクモジュール４０の総重量を実質的に増加させることなく、細長いヒートシンクモジュール４０の構造的な剛性を向上させ得る。更に、内側に向いた面４６を含めることによって増加した細長いヒートシンクモジュール４０の表面積は、より多くのＳＳＬ要素５０が各細長いヒートシンクモジュール４０に取り付けられ、それによって固体照明ランプ１０の発光出力を増加させることができるように、細長いヒートシンクモジュール４０の熱伝達能力を向上させる。しかし、内側に向いた面４６は、細長いヒートシンクモジュール４０の設計から省略されてもよく、この場合、細長い柱状部又は舌部４２は、細長いヒートシンクモジュール４０の外側に向いた面４４を含む本体に取り付けられてもよいことを理解されたい。
【００３８】
第１の実施形態と同様に、固体照明ランプは、図８の斜視図に概略的に示されるようなキャップ７０と、図９の斜視図に概略的に示されるような電気コネクタ６５を含むベース６０と、を更に備え、細長いヒートシンクモジュール４０は、前述のようにキャップ７０とベース６０との間に延びる。前述のように、電気コネクタ６５は、任意の好適な種類のコネクタであってもよい。一実施形態では、キャップ７０は、前述のように、対流によって又はファンを用いてランプから温かい空気を押し進めることによって、固体照明ランプ１０から温かい空気を逃がすことを可能にする通気口７５を備える。キャップ７０の通気口７５に加えて、固体照明ランプ１０は、ベース６０の通気口６３及びキャップ７０の通気口７５を通る、固体照明ランプ１０の中心軸１５と実質的に平行な空気流が、ＳＳＬ要素５０の作動中に細長いヒートシンクジュール４０によって収集された熱を固体照明ランプ１０から遠去けるように伝達して固体照明ランプ１０の熱管理を向上させるために、促進され得るように、ベース６０の通気口６３を更に備えてもよい。
【００３９】
上述の実施形態は、本発明を限定するものではなく、むしろ例示するものであり、当業者は、添付の請求項の範囲から逸脱することなく、多くの代替的実施形態を設計することが可能となる点に留意されたい。請求項では、括弧内のいかなる参照符号も、請求項を限定するものとして解釈されるべきではない。「備える（comprise）」という語は、請求項で列挙されるもの以外の要素又はステップの存在を排除するものではない。要素に先行する語「１つの（a）」又は「１つの（an）」は、複数のそのような要素の存在を排除するものではない。本発明は、いくつかの別個の要素を備えるハードウェアによって実施することができる。いくつかの手段を列挙するデバイスの請求項では、これらの手段のうちのいくつかは、ハードウェアの１つの同じアイテムによって具現化されることができる。特定の手段が、互いに異なる従属請求項内に列挙されているという単なる事実は、これらの手段の組み合わせが、有利に使用され得ないことを示すものではない。
【図１】
2020528196.tif 000003
【図２】
2020528196.tif 000004
【図３】
2020528196.tif 000005
【図４】
2020528196.tif 000006
【図５】
2020528196.tif 000007
【図６】
2020528196.tif 000008
【図７】
2020528196.tif 000009
【図８】
2020528196.tif 000010
【図９】
2020528196.tif 000011
【国際調査報告】
2020528196.tif 000012
2020528196.tif 000013
2020528196.tif 000014